(57)【要約】【課題】遊技盤の交換に伴う演出装置の交換も同時に行なえると共に、演出領域の拡大と不正防止を実現可能な遊技機を提供する。【解決手段】遊技盤６はその上縁部より外側にはみ出るように設けられた演出装置１２を備え、演出装置１２の上端部１２ａは正面視して内枠３の上端部３ａに沿って重なり合い、演出装置１２の下端部は前面枠上端部５ａと近接して演出装置１２が顕出するよう組み付けられている。【選択図】図２
2010213794.tif 000002
【特許請求の範囲】
【請求項１】
遊技盤を保持する内枠と、その前面側にヒンジを介して開閉可能に設けられた前面枠とを備えた遊技機であって、
前記遊技盤はその上縁部より外側にはみ出るように設けられた演出装置を備え、前記演出装置の上端部は正面視して前記内枠の上端部に沿って重なり合い、前記演出装置の下端部は前面枠上端部と近接して前記演出装置が顕出するよう組み付けられていることを特徴とする遊技機。
【請求項２】
前記前面枠上端部と近接する前記演出装置の周縁部には当該周縁部に沿って前面側に開口した溝部が形成されており、前記前面枠の背面側に設けられた前記溝部に対応するリブが当該溝部に嵌め込まれて前記前面枠が前記内枠に閉止される請求項１記載の遊技機。
【発明の詳細な説明】
【技術分野】
【０００１】
本発明は、遊技機に関する。
【背景技術】
【０００２】
パチンコ機などの遊技機には、遊技機本体に窓部を備えた前面枠が開閉可能に組み付けられている。具体的には、パチンコ機の外形をなす矩形状の外枠に対して内枠が開閉可能に組み付けられ、該内枠を含む遊技機本体に対して前面枠が上下ヒンジ部を中心に開閉可能に支持されている。
【０００３】
遊技機を新台と入れ替える際に、遊技場としては遊技機ごと交換するか或いは遊技盤のみを入れ替えて前面枠を共用するかのいずれかが選択できる。コストをかけずに機種変更を行なうとすれば、遊技盤のみを変更（盤替え）することが考えられる。しかしながら、遊技盤を変えても、前面枠の装飾を変えていないので遊技機全体としてはかわり映えがしなかった。
【０００４】
遊技盤を変更する際に前面枠の装飾体を交換する方法として、遊技盤の遊技領域の外側に装飾体を設け、前面枠に装飾体が挿入される開口部が設けられ、当該開口部を通じて装飾体を視認できるようにした遊技機が提案されている（特許文献１参照）。
或いは遊技盤に操作部を設けて、前面枠に設けた挿入口より前方に露出させて設け、盤替えと共に操作部も交換できるようにした遊技機も提案されている（特許文献２参照）。
【先行技術文献】
【特許文献】
【０００５】
【特許文献１】特許第３９８２６２５号公報
【特許文献２】特開２００９−４４７号公報
【発明の概要】
【発明が解決しようとする課題】
【０００６】
上述した特許文献１，２の遊技機においては、遊技盤の大きさの範囲内で、盤替えによる機種変更を行なっていたため、遊技盤上に装飾体を設けるスペースも当該遊技盤の大きさを拡大しない限り限られたものとなる。
また、盤替えの場合、遊技盤はモチーフやゲーム性に応じたデザインや装飾を持たせることができることに対し、前面枠はそのモチーフやゲーム性に応じた装飾に交換できないのが実情である。特に遊技盤より外周側の領域は、前面枠側の装飾による演出のみであり、演出領域としての利用がなされていなかった。
また、遊技盤の一部を前面枠の開口部を通じて露出させるとすれば、針金等の異物を侵入させやすくなるため、不正行為を防止する必要がある。
【０００７】
本発明の目的は、遊技盤の交換に伴う演出装置の交換も同時に行なえると共に、演出領域の拡大と不正防止を実現可能な遊技機を提供することを目的とする。
【課題を解決するための手段】
【０００８】
上記課題を解決するため、遊技機としては次の構成を備えることを特徴とする。
遊技盤を保持する内枠と、その前面側にヒンジを介して開閉可能に設けられた前面枠とを備えた遊技機であって、前記遊技盤はその上縁部より外側にはみ出るように設けられた演出装置を備え、前記演出装置の上端部は正面視して前記内枠の上端部に沿って重なり合い、前記演出装置の下端部は前面枠上端部と近接して前記演出装置が顕出するよう組み付けられていることを特徴とする。
【０００９】
また、前記前面枠上端部と近接する前記演出装置の周縁部には当該周縁部に沿って前面側に開口した溝部が形成されており、前記前面枠の背面側に設けられた前記溝部に対応するリブが当該溝部に嵌め込まれて前記前面枠が前記内枠に閉止されることを特徴とする。
【発明の効果】
【００１０】
上述した遊技機を用いれば、遊技盤はその上縁部より外側にはみ出るように設けられた演出装置を備え、演出装置の上端部は正面視して内枠の上端部に沿って重なり合うように設けられるので、遊技盤を交換すれば演出装置も交換されるため機種変更に伴う演出装置の変更も盤替えにより実現でき作業効率がよいうえに、演出装置の設置面積を内枠の上端部まで拡大することで演出効果を高めることができる。
また、演出装置の上端部は正面視して内枠の上端部に沿って重なり合い、演出装置の下端部は前面枠上端部と近接して演出装置が顕出するよう組み付けられているので、演出装置の前面部及び上側面及び左右側面が外部から視認し易くなるため演出装置に奥行き感や迫力感が増大し、効果的な演出が行なえる。
【００１１】
また、演出装置の周縁部には当該周縁部に沿って前面側に開口した溝部が形成されており、前面枠の背面側に設けられた溝部に対応するリブが当該溝部に嵌め込まれて前面枠が内枠に閉止されるので、前面枠と演出装置の隙間に外部から異物を侵入させ難くなるので、不正防止効果を高めることができる。
【図面の簡単な説明】
【００１２】
【図１】パチンコ機の正面図である。
【図２】図１において前面枠を遊技機本体から開放した状態の斜視図である。
【図３】パチンコ機の上部縦断面図である。
【図４】他例に係るパチンコ機の上部縦断面図である。
【図５】遊技盤に組み付けられる演出装置の分解斜視図である。
【図６】演出装置の遊技盤への組み付け部の正面図及び拡大断面図である。
【図７】演出装置の遊技盤への組み付け部の他例に係る斜視図及び正面断面図である。
【図８】他例に係る演出装置の配置を示すパチンコ機に正面図である。
【図９】他例に係る演出装置の配置を示すパチンコ機に正面図である。
【図１０】図９において前面枠を遊技機本体から開放した状態の斜視図である。
【発明を実施するための形態】
【００１３】
以下、遊技機の実施形態について、図面を参照しながら具体的に説明する。以下では、遊技機の一例としてパチンコ機について例示して説明するものとする。
【実施例１】
【００１４】
図１及び図２を参照して実施例１に係るパチンコ機の概略構成について説明する。図１において、パチンコ機１の外形をなす矩形状の外枠２の側部に対して上下ヒンジ部（図示せず）により内枠３が開閉可能に取り付けられ、該内枠３の側部に対して上下ヒンジ部４ａ，４ｂにより前面枠（ガラス枠）５が開閉可能に取り付けられている。
【００１５】
図２において、内枠３の前面側には遊技盤６が組み付けられている。また遊技盤６の下方には遊技領域へ向かって遊技球を発射する球発射装置７が組み付けられている。また、遊技盤６には、遊技盤発射レール８によって全体として円形の遊技領域が形成され、その遊技領域には図柄表示装置（液晶表示装置；図示せず），入賞装置（図示せず）等が設けられる。
【００１６】
また、図１において、前面枠５の下方には貸球や賞球等の遊技球を一時的に貯留し、該遊技球を球発射装置７（図２参照）へ誘導する球受け皿（上皿）９が組み付けられている。球受け皿９の前面には貯留した遊技球を下皿９ｃに排出させるためシャッターを開閉する球抜きレバー９ａが設けられている。また、球受け皿９の上縁部には、操作ボタン９ｂが設けられている。球受け皿８の右側には、球発射装置７によって遊技領域へ発射される遊技球の発射力を調節するための発射ハンドル１０が設けられている。図２において、内枠３の背面側上部には貯留タンク１１が設けられ、貯留タンク１１にはパチンコ機１が配置されたホールの島から遊技球が供給される。
【００１７】
図２において、遊技盤６の上部には、当該遊技盤６より外側にはみ出すように演出装置１２が設けられている。図１に示すように演出装置１２の上端部１２ａは正面視して内枠３の上端部３ａに沿って重なり合い（図２参照）、前面枠５の窓部５ｅを仕切る前面枠上端部５ａ（図１参照）と近接して設けられている。窓部５ｅには遊技盤６を視認できる透明板５ｆ（ガラス板、樹脂板等）が組み付けられている（図３参照）。演出装置１２は、前面枠５の切欠き部５ｂに顕出するよう組み付けられる。
【００１８】
演出装置１２の一例としては、図３に示すようなパトランプ１３が筐体上のケース体１４に覆われて２箇所に設けられる。ケース体１４は光透過性を有する樹脂材等で形成されている。
【００１９】
上記構成により遊技盤６を交換すれば演出装置１２も交換されるうえに、演出装置１２の設置面積を遊技盤６の外側まで拡大することで演出効果を高めることができる。
また、前面枠５の前面枠上端部５ａと近接して演出装置１２が前方に顕出するように組み付けられるので、演出装置１２の前面部及び上側面が外部から視認できるため演出装置１２に奥行き感や迫力感が増大し、効果的な演出が行なえる。
【００２０】
図１において、前面枠５の前面枠上端部５ａと近接する演出装置１２のケース体１４の周縁部には、図３に示すように手前側に起立する起立壁１４ａが形成されて周縁部に沿って前面側に開口した溝部１４ｂが形成されている。前面枠５の背面側に設けられたリブ５ｃが溝部１４ｂに嵌め込まれて前面枠５が内枠３に閉止されるようになっている。具体的には、リブ５ｃが形成された段付部５ｄと溝部１４ｂが設けられた起立壁１４ａとが噛み合って閉止される。これによって、前面枠５と演出装置１２の隙間に外部から異物を侵入させ難くなるので、不正防止効果を高めることができる。また、上述した実施形態では前面枠５の背面側にリブ５ｃを設け、演出装置１２側に設けられた溝部１４ｂに嵌め込まれるようになっているが、リブ５ｃ以外の構成として前面枠５の背面側に開口した溝部を設け、前面枠閉止時に溝部どうしが嵌め合うような構成としてもよい。
【００２１】
図４において、演出装置１２のケース体１４に替えて、演出装置本体１２ｂに周縁部には起立壁１２ｉが形成され、周縁部に沿って前面側に開口した溝部１２ｊが形成されている。前面枠５の背面側に設けられたリブ５ｃが溝部１２ｊに嵌め込まれて前面枠５が内枠３に閉止されるようになっていてもよい。具体的には、リブ５ｃが形成された段付部５ｄと溝部１２ｊが設けられた起立壁１２ｉとが噛み合って閉止される（図４下部拡大図参照）。これによって、遊技者から見て演出装置１２の奥側で前面枠５が組み付けられるので、さらに外部から異物を侵入させ難くなるので、不正防止効果が向上する。
また、演出装置１２の上端部１２ａは内枠３の上端部３ａと突き当たるように組み付けられるが、該上端部どうしの隙間は演出装置本体１２ｂの起立壁により内側で覆われているため、この隙間から異物を挿入する不正行為を防止することができる。（図４上部拡大図参照）
【００２２】
ここで、演出装置１２の遊技盤６に対する組み付け構成の一例について図５及び図６を参照して説明する。
図５において、ケース体１４とパトランプ１３が設けられた演出装置本体１２ｂとは、ねじ１２ｃにより一体に組み付けられる。また、演出装置本体１２ｂの背面側には長手方向で複数箇所に、弾性変形可能な係止フック１２ｄが突設されている。また、遊技盤６の上側取付部には貫通孔６ａが複数箇所に穿孔されている。また、遊技盤６の中央部には、図柄表示装置（図示せず）を組み付ける窓孔６ｄが設けられている。
【００２３】
ケース体１４を演出装置本体１２ｂに一体に組み付けられた演出装置１２は、図６に示すように、係止フック１２ｄを貫通孔６ａに嵌め込まれて遊技盤６に装着される。そして、係止フック１２ｄの先端係止部１２ｅが貫通孔６ａの段付部６ｂに係止することで遊技盤６と一体に組み付けられる（図５参照）。
【００２４】
図６では演出装置本体１２ｂに設けられる係止フック１２ｄが遊技盤６の貫通孔６ａの段付部６ｂに係止するようになっていたが、機種変更する際に遊技盤６ごと交換するため、演出装置１２は遊技盤６に嵌め殺し状態で組み付けられていてもよい。
【００２５】
図７（ａ）に演出装置１２の遊技盤６に対する組み付け構成の他例を示す。
具体的には、演出装置本体１２ｂの背面側には長手方向で複数箇所に圧入ピン１２ｆが突設されている。各圧入ピン１２ｆの周面には、外周方向に突出量の大きい第１リブ１２ｇとそれより突出量の少ない第２リブ１２ｈが交互に設けられている。上記第１リブ１２ｇの突出量は、遊技盤６の挿入孔６ｃの孔径より大きく、第２リブ１２ｈは、孔径より小さくなるように形成されている。第１リブ１２ｇ及び第２リブ１２ｈは、圧入ピン１２ｆの先端側より圧入方向に沿って所定長にわたって設けられている。
【００２６】
図７（ｂ）に示すように、図示しない圧入機を用いて演出装置１２の圧入ピン１２ｆを遊技盤６の挿入孔６ｃに位置合わせして圧入する。このとき、圧入ピン１２ｆの外周に設けられた第１リブ１２ｇが挿入孔６ｃの壁面に食い込みながら圧入されて、演出装置１２が遊技盤６に一体に組み付けられる。
【００２７】
次に演出装置１２に他例について図８乃至図１０を参照して説明する。以下では、実施例１と同一部材には同一番号を付して説明を援用するものとする。
本実施例は、遊技盤６に実施例１に示す演出装置１２よりさらに外形の大きな演出装置１２を設けた場合について説明する。
【実施例２】
【００２８】
図８において、実施例１に比べて大きな演出装置１２が顕出するように遊技盤６に組み付けられている。具体的には、演出装置１２は、内枠３の右側端部に沿って重なり合う位置まで拡大されており、例えばパトランプ１３が３箇所に設けられる。これにともなって、前面枠５の前面枠上端部５ａ側がパチンコ機１の幅方向中央部付近から右側端部に渡って切り欠かれている。このように、遊技盤６に組み付けられる演出装置１２の大きさを実施例１に比べて拡大したことによって、より迫力ある演出が行なえる。また、盤替えに伴う演出装置１２の変更も同時に行なえるので、作業効率も高めることができる。
また、前面枠５の前面枠上端部５ａと近接して演出装置１２が前方に顕出するように組み付けられるので、演出装置１２の前面部及び上側面と左右側面のうちいずれか一方が外部から視認できるため演出装置１２に奥行き感や迫力感が増大し、効果的な演出が行なえる。
【実施例３】
【００２９】
図９及び図１０において、本実施例は実施例２に比べてさらに大きな演出装置１２が顕出するように遊技盤６に組み付けられている。具体的には、演出装置１２は、内枠３の左右側両端部に沿って重なり合う位置まで拡大されており、例えばパトランプ１３が４箇所に設けられる。これにともなって、前面枠５の前面枠上端部５ａ側がパチンコ機１の幅方向全域にわたって切り欠かれて実施例２よりさらに大きな演出装置１２が顕出するように遊技盤６に組み付けられている。尚、前面枠５の内枠３に対する上部ヒンジ４ａは演出装置１２の下部に設けられている。
【００３０】
このように、遊技盤６に組み付けられる演出装置１２の大きさを実施例２に比べて幅方向にさらに拡大することで、より迫力ある演出が行なえる。また、盤替えに伴う演出装置１２の変更も同時に行なえるので、作業効率も高めることができる。
また、前面枠５の前面枠上端部５ａと近接して演出装置１２が前方に顕出するように組み付けられるので、演出装置１２の前面部、上側面及び左右側面が外部から視認できるため演出装置１２に奥行き感や迫力感が増大し、効果的な演出が行なえる。
【００３１】
上述した実施形態は、遊技機の一例としてパチンコ機について説明したが、他の遊技機、例えば雀球遊技機やアレンジボール遊技機などに適用してもよい。
また上述した実施形態は、演出装置としてパトランプ１３について例示したが、例えば装飾装置、可動装置、スピーカ等を配置してもよい。
【符号の説明】
【００３２】
１  パチンコ機  
２  外枠  
３  内枠  
３ａ  上端部  
４ａ，４ｂ  ヒンジ部  
５  前面枠  
５ａ  前面枠上端部  
５ｂ  切欠き部  
５ｃ  リブ  
５ｄ  段付部  
５ｅ  窓部
５ｆ  透明板
６  遊技盤  
６ａ  貫通孔  
６ｂ  段付部  
６ｃ  挿入孔
６ｄ  窓孔
７  球発射装置  
８  遊技盤発射レール  
９  球受け皿（上皿）  
９ａ  球抜きレバー
９ｂ  操作ボタン
９ｃ  下皿
１０  発射ハンドル  
１１  貯留タンク  
１２  演出装置  
１２ａ  上端部  
１２ｂ  演出装置本体  
１２ｃ  ねじ
１２ｄ  係止フック  
１２ｅ  係止部  
１２ｆ  圧入ピン  
１２ｇ  第１リブ  
１２ｈ  第２リブ  
１２ｉ，１４ａ  起立壁  
１２ｊ，１４ｂ  溝部  
１３  パトランプ  
１４  ケース体
【図１】
2010213794.tif 000003
【図２】
2010213794.tif 000004
【図３】
2010213794.tif 000005
【図４】
2010213794.tif 000006
【図５】
2010213794.tif 000007
【図６】
2010213794.tif 000008
【図７】
2010213794.tif 000009
【図８】
2010213794.tif 000010
【図９】
2010213794.tif 000011
【図１０】
2010213794.tif 000012